(57)【要約】【課題】情報入力の操作性に優れたポインティングデバイスを有する電子機器を提供する。【解決手段】情報を表示するＬＣＤベゼルフレーム１２０がベース１１０に折り畳み可能に設けられ、ＬＣＤベゼルフレームにおける入力位置や座標を指定するポインティングデバイス１３０を有するノート型ＰＣ１００を提供する。ポインティングデバイスはクリックボタン１３３及び１３４を有し、クリックボタンは、ベース１１０の前縁部１５１ｂに形成され、ＬＣＤベゼルフレームが折り畳まれた状態でクリックボタンは少なくとも部分的に露出している。【選択図】図２
2010020796.tif 000002
【特許請求の範囲】
【請求項１】
情報を表示する表示部が本体部に折り畳み可能に設けられた電子機器であって、
前記表示部における入力位置や座標を指定する操作ボタンを有するポインティングデバイスを有し、
前記操作ボタンは、前記本体部の前記表示部が折り畳まれる上面の一部と前記本体部の正面の一部を含む前縁部に設けられ、前記表示部が前記本体部に折り畳まれた状態で前記操作ボタンは少なくとも部分的に露出していることを特徴とする電子機器。
【請求項２】
前記ポインティングデバイスは一対の操作ボタンを有し、
前記ポインティングデバイスは、当該一対の操作ボタンの間に配置されたスクロールホイールを更に有し、
前記スクロールホイールは前記前縁部に形成され、前記表示部が前記本体部に折り畳まれた状態で前記スクロールホイールは少なくとも部分的に露出していることを特徴とする請求項１に記載の電子機器。
【請求項３】
前記前縁部は曲面状に形成されていることを特徴とする請求項１又は２に記載の電子機器。
【請求項４】
前記スクロールホイールはローラ形状を有することを特徴とする請求項２に記載の電子機器。
【請求項５】
前記ポインティングデバイスは前記操作ボタンと前記表示部との間にタッチパッドを更に有し、
前記電子機器は、前記タッチパッドと前記表示部との間にキーボードを更に有することを特徴とする請求項１〜４のうちいずれか一項に記載の電子機器。
【発明の詳細な説明】
【技術分野】
【０００１】
本発明は、一般には、ポインティングデバイスを有する電子機器に係り、特に、タッチパッド型のポインティングデバイスを有して折り畳み可能な携帯型電子機器に関する。ここで、「携帯型電子機器」は、例えば、ノート型パーソナルコンピュータ（以下、「ＰＣ」という。）、パーソナルディジタルアシスタンツ（ＰＤＡ）、電子辞書、電子文具、ゲーム機、ポータブル家電（例えば、ポータブルテレビ、ポータブルビデオデッキ、ポータブルＤＶＤ）などを含む概念である。本発明は、例えば、ノート型パーソナルコンピュータ（以下、「ＰＣ」という。）におけるタッチパッド型ポインティングデバイスに好適である。
【背景技術】
【０００２】
近年、ノート型ＰＣにおいては、小型化と操作性の向上が益々要求されている。かかるノート型ＰＣにおいては、一対のクリックボタンを備えたポインティングデバイスが従来から提案され、パッド、スティック、ボールなどの手段によってディスプレイ上のポインタを移動させる。このうちタッチパッドは、数センチ四方の矩形状パッド上で移動するユーザの指の動きを検知してその移動方向及び移動量に応じてポインタを移動する入力装置であり、メインテナンスが殆ど不要である、デバイスの厚みが薄いなどの特長から多くのノート型ＰＣで汎用されている。
【０００３】
タッチパッド型のポインティングデバイスを搭載したノート型ＰＣは、通常、キーボードの手前（キーボードから操作ユーザ側）にタッチパッドを配置し、その更に手前にクリックボタンを配置している。かかるポインティングデバイスは、ディスプレイサイズを基本に決められた面積の中で配置せざるを得ないため、ポインティングデバイスに必要なスペースを確保したうえで、残ったスペースにキーボードを配置していた。
【０００４】
また、ノート型ＰＣの中には、ノート型ＰＣを折り畳んだ際にディスプレイとＰＣ本体とをロックする機構を備えているものがある。かかるロック機構は、典型的に、ディスプレイ側に被係止部を設け、ＰＣ本体側に被係止部が挿入される係止穴を設け、係止穴の内部に被係止部と係合及び係合解除する係止部を設け、係止部と被係止部とが係合及び係合解除するように移動可能にする移動機構とを有する。この場合、係止穴はポインティングデバイスのクリックボタンの更に手前の、ＰＣ本体の中央最前部に設けられる。
【０００５】
その他の従来技術としては、例えば、特許文献１乃至３などがある。
【先行技術文献】
【特許文献】
【０００６】
【特許文献１】特開２０００−２０１６２号公報
【特許文献２】特開２０００−２２２１１８号公報
【特許文献３】特開平４−２７６８１４号公報
【発明の概要】
【発明が解決しようとする課題】
【０００７】
従来のタッチパッド型のポインティングデバイスを採用するノート型ＰＣは、ポインティングデバイスやロック機構のためにキーボードはディスプレイの近くに配置されていた。しかし、キーボードは、できるだけディスプレイから離れていたほうが人間工学的に操作しやすい。ところが、キーボードを手前に配置しようとすると、クリックボタンやタッチパッドのサイズが小さくなり、ポインティングデバイスの操作性が悪化するという問題があった。このように従来のノート型ＰＣは、キーボードの操作性とポインティングデバイスの操作性を両立することができず、情報入力の操作性が十分ではなかった。
【０００８】
そこで、情報入力の操作性に優れたポインティングデバイスを有する電子機器を提供することを例示的目的とする。
【課題を解決するための手段】
【０００９】
本発明の一側面としての電子機器は、情報を表示する表示部が本体部に折り畳み可能に設けられた電子機器であって、前記表示部における入力位置や座標を指定するポインティングデバイスと、折り畳まれた前記表示部を前記本体部にロックするためのロック機構とを有し、前記ロック機構の一部は前記ポインティングデバイスに構成されていることを特徴とする。かかる電子機器、例えば、ノート型ＰＣはロック機構がポインティングデバイスに構成されているので両者を別々に配置するよりも実装空間の省スペース化を図ることができ、また、それにより電子機器の小型化を図ることができる。
【００１０】
例えば、前記ポインティングデバイスは操作ボタンを有し、前記ロック機構は、前記表示部に設けられた第１の係合部と、前記本体部に設けられ、前記第１の係合部が挿入される係合孔と、前記係合孔に挿入された前記第１の係合部と係合及び係合解除可能に構成された第２の係合部とを有し、前記係合孔は前記操作ボタンに形成される。また、前記ロック機構は、前記係合孔に挿入された前記第１の係合部との係合を解除するために前記第２の係合部を移動させ、前記操作ボタンに配置された解除ボタンを更に有してもよい。
【００１１】
前記ポインティングデバイスは一対の操作ボタンを有し、前記ポインティングデバイスは、当該一対の操作ボタンの間に配置された、例えば、ローラ式の、スクロールホイールを更に有することが好ましい。これにより、電子機器の小型化を図りつつポインティングデバイスの操作性を高めることができる。前記ポインティングデバイスは、前記第１の係合部及び第２の係合部が配置される切り欠きを含む基板を更に有してもよい。切り欠きによってロック機構とポインティングデバイスが一体的に構成されることを可能にしている。
【００１２】
本発明の別の側面としての電子機器は、情報を表示する表示部が本体部に折り畳み可能に設けられ、前記表示部における入力位置や座標を指定するポインティングデバイスを有する電子機器であって、前記ポインティングデバイスは操作ボタンを有し、当該操作ボタンは、前記本体部の前記表示部に対向する角部としての前縁部に形成され、前記表示部が折り畳まれた状態で前記操作ボタンは少なくとも部分的に露出していることを特徴とする。操作ボタンは部分的に露出しているということは、前縁部は本体部の上面（即ち、表示部が折り畳まれると見えなくなる面）から本体部の正面に亘って延びている。前縁部を角部に構成することによって操作ボタンの表面積を確保しつつポインティングデバイスの占める本体上の面積を小さくすることができる。なお、ポインティングデバイス（又は操作ボタン）は通常はキーボードのホームポジションの中央と当該ポインティングデバイスの幅方向の中央とが一致する本体部の前縁部に設けられるが、本発明はポインティングデバイス（又は操作ボタン）が本体部の中央前縁部などに設けられることを妨げるものではない。
【００１３】
前記ポインティングデバイスは一対の操作ボタンを有し、前記ポインティングデバイスは、当該一対の操作ボタンの間に配置された、例えば、ローラ式の、ホイールを更に有し、前記ホイールは前記前縁部に形成され、前記表示部が折り畳まれた状態で前記ホイールは少なくとも部分的に露出することが好ましい。前記前縁部は曲面状又は斜め上向きなどの傾斜面として形成されていることが好ましい。このような面はユーザが斜め上方から見ることができる面積が多く操作性が向上するからである。ローラ式のホイールはこのような曲面を形成しやすく、引っ掛かって誤操作してしまうなどの問題を防止することができる。
【００１４】
前記ポインティングデバイスは操作ボタンと前記表示部との間にタッチパッドを更に有し、前記電子機器は、前記タッチパッドと前記表示部との間にキーボードを更に有することが好ましい。これにより、キーボードの操作性とポインティングデバイスの操作性を両立することができる。また、タッチパッドは、メインテナンスが不要やデバイスが薄型などの特徴を有し、他のポインティングデバイス（トラックボールやスティックなど）に比較して操作性が高く、また、電子機器の薄型化実現にも寄与する。キーボードと表示部との間のスペースに電源ボタンなどを配置して有効利用してもよい。
【００１５】
本発明の他の目的と更なる特徴は、以下、添付図面を参照して説明される実施例において明らかになるであろう。
【発明の効果】
【００１６】
本発明は、情報入力の操作性に優れたポインティングデバイスを有する電子機器を提供することができる。
【図面の簡単な説明】
【００１７】
【図１】本発明の電子機器（ノート型ＰＣ）の外観斜視図である。
【図２】図１に示す電子機器の部分拡大斜視図である。
【図３】図１に示す電子機器の部分展開斜視図である。
【図４】図１に示す電子機器の部分平面図である。
【図５】図４のＡ−Ａ断面図である。
【図６】図４のＢ−Ｂ断面図である。
【図７】図１に示す電子機器のＬＣＤベゼルフレームに取り付けられる係合部の変形例を示す部分拡大斜視図である。
【発明を実施するための形態】
【００１８】
以下、添付図面を参照して、ノート型ＰＣとして具体化された本発明の電子機器１００について説明する。ここで、図１は、ノート型ＰＣ１００の外観斜視図である。図１を参照するに、電子機器１００は例示的にノート型ＰＣ１００として具体化されているが、本発明は、これに限定されずポインティングデバイスを有する携帯型電子機器に適用可能である。また、ノート型ＰＣ１００の大きさはＡ４サイズ、Ｂ５サイズ、その他サブノートサイズ、ミニノートサイズなどをカバーするものである。ノート型ＰＣ１００は、ヒンジ１０２によって接続されたパソコン本体部としてのベース（下側筐体）１１０と液晶ディスプレイ（ＬＣＤ）ベゼルフレーム（上側筐体）１９０とを有する。
【００１９】
ベース１１０は、例えば、厚さ約２０乃至３０ｍｍの厚さを有し、情報タイプ用のキーボード１２０と、ポインティングデバイス１３０と、ロック機構１４０と、パームレスト１５０と、バッテリ残量表示部１６０と、電源ボタン１７０とを有する。
【００２０】
キーボード１２０の種類は、１０１キー、１０６キー、１０９キー、エルゴノミックキーなどを問わず、キーボード配列もＱＷＥＲＴＹ配列、ＤＶＯＲＡＫ配列、ＪＩＳ配列、新ＪＩＳ配列、日本語入力コンソーシアム基準配列（ＮＩＣＯＬＡ：ＮＩｈｏｎｇｏ Ｎｙｕｒｙｏｋｕ ＣＯｎｔｈｏｔｉｕｍ ＬＡｙｏｕｔ）などを問わない。
【００２１】
キーボード１２０は、従来よりもＬＣＤベゼルフレーム１９０から所定距離だけ離間している。所定距離は、後述するように、パームレスト１５０のＬ方向において短縮された長さに対応している。キーボード１２０がＬＣＤベゼルフレーム１９０のＬＣＤ画面１９２から離れて配置されているので、画面とユーザとの間の距離もその分、離れることになり、そのキーボード操作性が向上している。
【００２２】
ポインティングデバイス１３０は、図２及び図３に示すように、マウスと同機能を実現し、タッチパッド１３１と、ブロック１３２と、ロール式のスクロールホイール１３５と、ポインティングデバイス基板１３６とを有する。ここで、第２は、図１の部分拡大斜視図である。図３は、図１の部分拡大展開斜視図である。
【００２３】
タッチパッド１３１は、図３に示すように、ポインティングデバイス基板１３６に結合され、パームレスト１５０の上面部１５１ａに設けられた矩形穴１５０ａから露出する。タッチパッド１３１上でユーザが指を移動することによってＬＣＤ画面１９２上に表示されるマウスカーソルの移動制御機能を実現する。ポインティングデバイス１３０は、従来と同様のサイズのタッチパッド１３１を使用しているのでタッチパッド１３１の操作性は損なわれない。
【００２４】
ブロック１３２は、図３に示すように、操作ボタンとしての左右のクリックボタン１３３と１３４を規定し、パームレスト１５０の上面から前面に亘る前縁部１５１ｂに設けられた取付穴１５０ｂから露出する。ブロック１３２は、中央穴１３２ａと、切り欠き１３２ｂと、一対の突起１３２ｃとを有する。
【００２５】
中央穴１３２ａにはスクロールホイール１３５が挿入される。切り欠き１３２ｂにはロック機構１４０のリリースボタン１４３ａが配置される。突起１３２ｃは、ブロック１３２の両側面に設けられ、一対の突起１３２ｃを介してクリックボタン１３３及び１３４はパームレスト１５０に対して傾斜可能に取り付けられている。ポインティングデバイス１３０には、図示しない圧縮バネなどの付勢部材が設けられており、かかる付勢部材はブロック１３２の各クリックボタン１３３及び１３４を水平な状態（傾斜していない状態）に復帰させる力を加えている。
【００２６】
クリックボタン１３３は汎用マウスの左クリックボタンと同様の機能を有し、右クリックボタン１３４はマウスの右クリックボタンと同様の機能を有する。クリックボタン１３３は平坦部１３３ａ及び曲面部１３３ｂとを有し、クリックボタン１３４は平坦部１３４ａ及び曲面部１３４ｂとを有する。平坦部１３３ａ及び１３４ａはパームレスト１５０の上面部１５１ａに配置され、ＬＣＤベゼルフレーム１９０がベース１１０に対して折り畳まれると外部からは見えなくなる。一方、曲面部１３３ｂ及び１３４ｂはパームレスト１５０の前縁部１５１ｂに配置されているので、ＬＣＤベゼルフレーム１９０がベース１１０に対して折り畳まれても外部に露出する。なお、以下に説明するように、平坦部１３４ａにはフック穴１４１が形成される。
【００２７】
クリックボタン１３３及び１３４は、曲面部１３３ｂ及び１３４ｂを有して、パームレスト１５０の上面から前面に亘る前縁部１５１ｂに形成されている。従来のクリックボタンはパームレストの上面にのみ配置されており、本発明の平坦部１３３ａ及び１３４ａはそれと比較すれば、パームレスト１５０の上面において占めるクリックボタンの領域（即ち、ベース１１０の長さ方向であるＬ方向に延びる長さ）は短くなっている。このため、その分だけキーボード１２０のサイズを従来と同様に確保したままＬＣＤ画面１９２から離して手前に配置することができる。キーボード１２０がＬＣＤベゼルフレーム１９０のＬＣＤ画面１９２から離れて配置されているので、画面とユーザとの間の距離もその分、離れることになり、そのキーボード操作性が向上している。
【００２８】
一方、クリックボタン１３３及び１３４が平坦部１３３ａ及び１３４ａのみから構成されれば操作領域サイズの減少により、操作性が低下する。そこで、本実施例では、クリックボタン１３３及び１３４に曲面部１３３ｂ及び１３４ｂを設け、クリックボタンの表面積は従来と同程度に確保して操作性が低下することを防止している。
【００２９】
スクロールホイール１３５はマウスのスクロールホイールと同様の機能を有し、中央穴１３２ａに配置される。クリックボタン１３３及び１３４に加えてスクロールホイール１３５が設けられているのでポインティングデバイス１３０の操作性は向上している。スクロールホイール１３５は基板１３６に回転可能に接続され、回転情報は基板１３６に伝達される。また、スクロールホイール１３５は、ローラ形状を有し、パームレスト１５０の前縁部１５１ｂと同様の曲面形状を形成している。図２に示すように、ホイール１３５は、ブロック１３２よりも退避した位置に配置される。これにより、ホイール１３５が引っ掛かって誤操作されるなどの問題を防止することができる。
【００３０】
ポインティングデバイス基板１３６は、切り欠き１３６ａを含むほぼ矩形形状を有し、一対のスイッチ１３７ａ及び１３７ｂが取り付けられている。スイッチ１３７ａは左クリックボタン１３３が押されるとＯＮになり、スイッチ１３７ｂは右クリックボタン１３４が押されるとＯＮになる。また、中央にはタッチパッド１３１が設けられる。切り欠き１３６ａにはスクロールホイール１３５と後述するロック機構１４０の一部が配置される。
【００３１】
図４は、ポインティングデバイス１３０の上面図である。図５は、図４のＡ−Ａ断面図であり、クリックボタンが押されてスイッチがＯＮされた状態を示している。スイッチ１３７ａ及び１３７ｂは同一構造を有し、当業界で周知のいかなる構成をも適用することができる。例えば、スイッチ１３７ａ及び１３７ｂは、中央の昇降可能な突起がクリックボタンに押されて下がると通電するように構成されてもよい。
【００３２】
ロック機構１４０は、ベース１１０とＬＣＤベゼルフレーム１９０との開閉を可能にし、ベース１１０に折り畳まれたＬＣＤベゼルフレーム１９０をロック及びロック解除する。ロック機構１４０は、フック穴１４１と、係止ブロック１４２と、付勢部材１４５と、係合部１４６とを有する。
【００３３】
フック穴１４１は、図２に示すように、右クリックボタン１３４の平坦部１３４ａに形成され、係合部１４６が挿脱されるほぼ矩形状の貫通孔である。かかる構成は、フック穴１４１がクリックボタン１３４のキーボード１２０側に別体で形成されるよりもパームレスト１５０のＬ方向の長さを短くすることができ、キーボード１２０をＬＣＤ画面１９２から離して配置することを可能にする。このため、キーボード１２０の操作性は向上する。
【００３４】
係止ブロック１４２は、図３に示すように、平板部１４３と係止部１４４とを有する。平板部１４３は薄い直方体形状を有し、ベース１１０に形成された係止空間１１２においてL方向に移動可能に設けられる。係止ブロック１４２のＬ２方向の移動は側壁１１３によって規制される。平板部１４３は、ブロック１３２の切り欠き１３２ｂから、図２に示すように、突出するリリースボタン１４３ａを形成する。係止部１４４は、先端に鉤状のフック１４４ａを有し、フック１４４ａを介して係合部１４６と係合し、これによってＬＣＤベゼルフレーム１９０をロックする。リリースボタン１４３ａが突出している時にはフック１４４ａは係合部１４６と係合する。この結果、ＬＣＤベゼルフレーム１９０はベース１１０に折り畳まれた状態でロックされる。一方、リリースボタン１４３ａが押されるとフック１４４ａは係合部１４６との係合を解除し、係合部１４６が移動可能になる。この結果、ＬＣＤベゼルフレーム１９０はロックが解除されてベース１１０に対して展開可能な状態となる。図６は、図４のＢ−Ｂ断面図であるが、付勢部材１４５は省略されている。
【００３５】
付勢部材１４５は、係止ブロック１４２のリリースボタン１４３ａが突出する方向（Ｌ１方向）に係止ブロック１４２を付勢し、例えば、一端が係止空間１１２の側壁１１３に取り付けられ、他端が係止ブロック１４２に取り付けられた圧縮バネから構成されるが、これに限定されるものではない。
【００３６】
係合部１４６は、図１に示すように、ＬＣＤベゼルフレーム１９０の上部中央に設けられ、係止部１４４と同様の形状を有し、係合部１４６のフックはフック１４４ａに対向するように構成される。ＬＣＤベゼルフレーム１９０がベース１１０に対して折り畳まれると係合部１４６はフック穴１４１に挿入され、フック穴１４１を貫通して係止部１４４と係合されるように構成されている。係止部１４４と係合部１４６はポインティングデバイス基板１３６に形成された切り欠き１３６ａに配置される。切り欠き１３６ａによって、ロック機構１４０とクリックボタン１３４とを同じ位置に配置してパームレスト１５０のＬ方向の長さを短縮することができる。このように、ロック機構１４０とクリックボタン１３４の実装空間を共有することにより部品実装の省スペース化が実現でき、それによって他の部品を実装する空間を確保することができる。
【００３７】
本実施例では、係止ブロック１４２にフック１４４ａを設けてフック１４４ａを移動可能に構成しているが、係合部１４６が移動可能に構成されてもよい。また、本実施例では、フック１４４ａはＬ方向に移動するが、フック１４４ａ及び係合部１４６を９０度回転させてフック又は係合部をＬ方向に直交する方向に移動してもよい。係合部１４６がＬ方向に直交する方向に移動可能な例として、図７に、Ｌ方向に直行するＨ方向に移動可能なフック１４７とスライダ１４８を有する係合部１４６Ａを示す。
【００３８】
また、本実施例では右クリックボタン１３４にフック穴１４１が形成されているが、左クリックボタン１３３に形成されてもよい。この場合、これに伴って係止空間１１２、係止ブロック１４２、係合部１４６が図１よりも左側に形成されることはいうまでもない。
【００３９】
パームレスト１５０は、キーボード１２０の手前に設けられた手のひらや手首を載せるための操作部のない領域であり、パームレスト１５０で手首を水平に維持することによって長時間の打鍵による疲労や腱鞘炎などを緩和することができる。パームレスト１５０は、図３に示すように、上面部１５１ａと、前縁部１５１ｂとを有する。上面部１５１ａのキーボード１２０のホームポジションの中央に対応する位置には中央を同一とする矩形穴１５０ａが形成され、それと中央を同一とする前縁部１５１ｂの位置には取付孔１５０ｂが形成される。図３に示すパームレスト１５０の図示しない裏面には、一対の突起１３２ｃが移動可能に係合する（図示しない）係合部が形成されている。
【００４０】
前縁部１５１ｂは傾斜面又は曲面として形成され、右端部には、残量表示部１６０が配置されている。前縁部１５１ｂにより、ユーザは、ＬＣＤベゼルフレーム１９０をベース１１０から開状態にした時はもちろん、ＬＣＤベゼルフレーム１９０をベース１１０に閉状態にした時にも残量表示部１６０を見ることができる。従って、ユーザは、ノート型ＰＣ１００を操作可能に卓上に配置すれば、常に残量表示部１６０を見ることができる。
【００４１】
残量表示部１６０は、ノート型ＰＣ１００の電池の残量を表示し、内蔵された（二次）電池と、電池の電圧及び電流を検出する検出部と、制御部と、５つのＬＥＤランプ１６２と、ＬＥＤランプ１６２と一体的に構成された操作ボタン１６４とを有する。制御部は、操作ボタン１６４が押されると検出部による検出結果から電池の残量を計算して、残量に対応する数のＬＥＤランプ１６２を一定時間のみ点灯する。このように、残量表示部１６０は、複数のＬＥＤランプ１６２を使用して残量を段階的に表示するのでユーザは残量を一目で把握することができる。また、残量表示部１６０は、ユーザが必要な場合に（即ち、操作ボタン１６４を押し下げた場合に）一定期間だけＬＥＤランプ１６２を点灯するので常時点灯するよりも省力化が図れる。なお、電池の数は複数であってもよい。
【００４２】
電源ボタン１７０は、本実施例では、ベース１１０の上面右上に設けられているが、かかる配置は例示的である。本実施例のノート型ＰＣ１００は、キーボード１２０を手前に配置することによって空いたスペースを有効利用している。
【００４３】
ＬＣＤベゼルフレーム１９０にはＬＣＤ画面１９２が配置され、ＬＣＤベゼルフレーム１９０は、ＬＣＤ画面１９２を保持する実質的に矩形状を有している。
【００４４】
動作において、図１に示す状態でユーザはキーボード１２０及びポインティングデバイス１３０を操作して情報をタイプする。本実施例によれば、パームレスト１５０のＬ方向の長さは従来よりも短くなり、その分だけキーボード１２０をＬＣＤ画面１９２から離して（即ち、Ｌ１方向にずらして）配置することができるので操作性が向上する。
【００４５】
パームレスト１５０のＬ方向の長さを短くすることができたのは、１）クリックボタン１３３及び１３４の平坦部１３３ａ及び１３４ａのＬ方向の長さは従来のクリックボタンよりも短くしたため、及び、２）ポインティングデバイス１３０とロック機構１４０とを同じ位置に配置したためである。１）の構成を実現するにあたり、クリックボタン１３３及び１３４の操作性が低下しないようにするために、前縁部１５１ｂに延びる曲面部１３３ｂ及び１３４ｂを平坦部１３３ａ及び１３４ａに連通し、クリックボタン１３３及び１３４の大きさは従来と同程度に確保している。また、２）の構成を実現するにあたり、ポインティングデバイス基板１３６に切り欠き１３６ａを形成し、基板１３６とロック機構１４０とが衝突しないようにしている。また、ブロック１３２に切り欠き１３２ｂを形成し、リリースボタン１４３ａの突出を許容している。
【００４６】
ポインティングデバイス１３０の操作性を更に高めるために、スクロールホイール１３５を設けている。この際、スクロールホイール１３５も前縁部１５１ｂに設け、不要な引っ掛かりによる誤操作を防止するため前縁部１５１ｂの形状に適合するローラ形状（曲面形状）に構成されている。
【００４７】
情報入力が終了した後は、ＬＣＤベゼルフレーム１９０をベース１１０に対して折り畳む。この際、係合部１４６がフック穴１４１に挿入されてフック１４４ａと係合する。この結果、折り畳まれたＬＣＤベゼルフレーム１９０はベース１１０に対してロックされる。
【００４８】
再びノート型ＰＣ１００を使用する際は、ユーザはリリースボタン１４３ａを押してＬＣＤベゼルフレーム１９０とベース１１０とのロックを解除する。これによってユーザはＬＣＤベゼルフレーム１９０をベース１１０に対して展開することができる。必要があれば、ヒンジ１０２に予めトルクを与えておいてリリースボタン１４３ａを押すとＬＣＤベゼルフレーム１９０がベース１１０から多少展開するポップアップ構造を採用してもよい。ＬＣＤベゼルフレーム１９０が展開した後は、ユーザは電源ボタン１７０を押してオペレーションシステムを起動する。
【００４９】
以上、本発明の好ましい実施態様を説明してきたが、本発明はこれらの実施態様に限定されるものではなく、様々な変形及び変更が可能である。
【産業上の利用可能性】
【００５０】
本発明によれば、情報入力の操作性に優れたポインティングデバイスを有する電子機器を提供することができる。
【符号の説明】
【００５１】
１００              ノート型ＰＣ（電子機器）
１２０              キーボード
１３０              ポインティングデバイス
１３５              スクロールホイール
１３６              ポインティングデバイス基板
１４０              ロック機構
１３１              タッチパッド
１３３、１３４      クリックボタン
１４１              フック穴
１４２              係止ブロック
１４３ａ            リリースボタン
１４５              付勢部材
１４６、１４６Ａ    係合部
１５１ａ            正面部
１５１ｂ            前縁部
【図１】
2010020796.tif 000003
【図２】
2010020796.tif 000004
【図３】
2010020796.tif 000005
【図４】
2010020796.tif 000006
【図５】
2010020796.tif 000007
【図６】
2010020796.tif 000008
【図７】
2010020796.tif 000009